(57)【要約】【課題】書物を痛めることなくページを確実に抑えることができ、マークした任意のページを即座に開くことができる、ページ抑え機能を備えたしおり具を提供する。【解決手段】書物の表紙と略平行に伸延した第１のしおり片と、この第１のしおり片の一端とヒンジ部を介して回動自在に連結した第２のしおり片と、を備え、前記第１のしおり片と第２のしおり片のうち、少なくとも一方のしおり片を書物のページ間に挟んで目印とするためのしおり具であって、前記第２のしおり片は、前記ヒンジ部から書物の厚み方向に伸延する基端部と、この基端部から屈曲し、前記第１のしおり片と協働して任意のページを挟持可能に伸延した把持部と、を有することを特長とするしおり具とした。【選択図】図４
2007181928.tif 000002
【特許請求の範囲】
【請求項１】
書物の表紙と略平行に伸延した第１のしおり片と、
この第１のしおり片の一端とヒンジ部を介して回動自在に連結した第２のしおり片と、
を備え、
前記第１のしおり片と第２のしおり片のうち、少なくとも一方のしおり片を書物のページ間に挟んで目印とするためのしおり具であって、
前記第２のしおり片は、
前記ヒンジ部から書物の厚み方向に伸延する基端部と、
この基端部から屈曲し、前記第１のしおり片と協働して任意のページを挟持可能に伸延した把持部と、
を有することを特長とするしおり具。
【請求項２】
前記第１のしおり片と第２のしおり片とを互いに当接する方向へ付勢する付勢手段を備えることを特徴とする請求項１記載のしおり具。
【請求項３】
前記第１のしおり片と第２のしおり片のうち、少なくとも第２のしおり片には滑り止め部材を設けたたことを特徴とする請求項１又は２に記載のしおり具。
【請求項４】
前記第１のしおり片と第２のしおり片との連結幅を調整する連結幅調整手段を備えることを特徴とする請求項１〜請求項３のいずれか１項に記載のしおり具。
【請求項５】
前記第２のしおり片の把持部は、
前記基端部から前記第１のしおり片側へ傾斜状に伸延させた傾斜面部と、
この傾斜面部に連続して前記第１のしおり片と面同士が互いに当接する先端部と、
を有することを特徴とする請求項１〜４のいずれか１項に記載のしおり具。
【請求項６】
前記第２のしおり片の把持部に凸レンズを設けたことを特徴とする請求項１〜請求項５のいずれか１項に記載のしおり具。
【発明の詳細な説明】
【技術分野】
【０００１】
ページ抑えの機能を備えた、しおり具に関する。
【背景技術】
【０００２】
従来、最も単純なしおりの形態として、短冊状の紙片等をページ間に挟んで使用する物が知られているが、このような形態のしおりは、ページ間に挟むだけの簡単なものであるため書物から不用意に外れる等してマークした個所が分からなくなってしまうという問題が生じていたし、またしおり自体に強度が無いため、マークした個所のページを開く際に、しおりを軸にしてダイレクトにそのページを開くということができず、しおりを挟んだページを探りながら開く必要があったため煩雑であった。
【０００３】
そのため、しおりを軸として、マークしたページをダイレクトに開くことができ、さらにページを表裏方向から挟持することによるページ抑えの機能も備えた、クリップ状のしおり具が提案されている。このようなクリップ状のしおり具は、半円筒形状の一対のページ挟持部と、目玉形状の一対の掴圧部を備えたしおり具である。（例えば、特許文献１参照。）
このようなクリップ状のしおり具は、読みかけのページをその都度クリップで抑えながら読書するため、読書途中に書物を誤って閉じても、読みかけのページが分からなくなる事が無い。
【特許文献１】特開平９−２７２２８２
【発明の開示】
【発明が解決しようとする課題】
【０００４】
しかしながら、上記したようなクリップ状のしおり具は、見開いたページを、ページ端部の一部分のみを挟持して抑えていたため、厚みのある書物や開き癖のついていないような書物等では、挟持していない他端が浮き上がってしまい、確実に安定してページを抑えることができないといった問題が生じていた。また、しおり具とページとの当接面積が狭いため、ページを挟持した個所に跡や傷がついてしまい、大事な書物等には使用できないという問題も生じていた。
【０００５】
本発明は、上記課題に鑑みてなされたものであり、書物を痛めることなくページを確実に抑えることができ、マークした任意のページを即座に開くことができる、ページ抑え機能を備えたしおり具を提供せんとするものである。
【課題を解決するための手段】
【０００６】
上記課題を解決するため、請求項１記載のしおり具は、書物の表紙と略平行に伸延した第１のしおり片と、この第１のしおり片の一端とヒンジ部を介して回動自在に連結した第２のしおり片と、を備え、前記第１のしおり片と第２のしおり片のうち、少なくとも一方のしおり片を書物のページ間に挟んで目印とするためのしおり具であって、前記第２のしおり片は、前記ヒンジ部から書物の厚み方向に伸延する基端部と、この基端部から屈曲し、前記第１のしおり片と協働して任意のページを挟持可能に伸延した把持部と、を有することを特長とするしおり具とした。
【０００７】
また、請求項２記載のしおり具は、前記第１のしおり片と第２のしおり片とを互いに当接する方向へ付勢する付勢手段を備えることを特徴とした。
【０００８】
また、請求項３記載のしおり具は、前記第１のしおり片と第２のしおり片のうち、少なくとも第２のしおり片には滑り止め部材を設けたたことを特徴とした。
【０００９】
また、請求項４記載のしおり具は、前記第１のしおり片と第２のしおり片との連結幅を調整する連結幅調整手段を備えることを特徴とした。
【００１０】
また、請求項５記載のしおり具において、前記第２のしおり片の把持部は、前記基端部から前記第１のしおり片側へ傾斜状に伸延させた傾斜面部と、この傾斜面部に連続して前記第１のしおり片と面同士が互いに当接する先端部と、を有することを特徴とした。
【００１１】
また、請求項６記載のしおり具は、前記第２のしおり片の把持部に凸レンズを設けたことを特徴とした。
【発明の効果】
【００１２】
本発明に係るしおり具によれば、書物の表紙と略平行に伸延する第１のしおり片と、この第１のしおり片の一端とヒンジ部を介して回動自在に連結した第２のしおり片と、を備え、前記第１のしおり片と第２のしおり片のうち、少なくとも一方のしおり片を書物のページ間に挟んで目印とするためのしおり具であって、前記第２のしおり片は、前記ヒンジ部から書物の厚み方向に伸延する基端部と、この基端部から屈曲し、前記第１のしおり片と協働して任意のページを挟持可能に伸延した把持部と、を有することを特長とするしおり具としたため、しおりとして任意のページをマークしながら、見開いたページで書物やページが閉じないようにページを抑える、ページ抑えとしての機能も果たすことができる。
【００１３】
また、ヒンジ部を介して回動自在に連結した第１,第２の両しおり片と、前記ヒンジ部から書物の厚み方向に伸延する基端部とを備えることとしたため、しおり具は、書物のページを容易に挟持することができるし、書物の厚薄に関わらず様々な厚みの書物に対応可能である。さらに、しおり具は、書物のページを挟持した状態である時、書物の端部から頭部が突出し、この突出した頭部を摘んで書物の開閉動作を行えば書物のマークしたページをダイレクトに開くことができる。
【００１４】
また、前記第１のしおり片と第２のしおり片とを互いに当接する方向へ付勢する付勢手段を備えることを特徴としたため、どのような体勢で読書しようとも、しおり具は、書物のページ上を不用意に摺動する事がなく、ページを確実に挟持する事ができる。
【００１５】
また、前記第１のしおり片と第２のしおり片のうち、少なくとも第２のしおり片には滑り止め部材を設けたたことを特徴としたため、しおり具は、書物のページ上を不用意に摺動する事なく挟持したページを強固に把持することができる。
【００１６】
また、前記第１のしおり片と第２のしおり片との連結幅を調整する連結幅調整手段を備えることを特徴としたため、挟持する書物及び書物のページの厚みに合わせてしおり具の厚み幅を調整することができ、書物の厚薄に関わらずどのような厚みの書物であっても確実に安定して挟持することができる。
【００１７】
また、前記第２のしおり片の把持部は、前記基端部から前記第１のしおり片側へ傾斜状に伸延させた傾斜面部と、この傾斜面部に連続して前記第１のしおり片と面同士が互いに当接する先端部と、を有することを特徴としたため、第１のしおり片と第２のしおり片の当接面を可及的に拡大して書物の頁に係る挟持力を拡散させ、頁を確実に挟持しても書物に跡形や傷をつけず、大事な書物などにも安心して使用可能としている。
【００１８】
また、第２のしおり片には凸レンズを設けたことを特徴としたため、しおり具は、書物のページを挟持させてページ押さえとして使用すると同時に、挟持したページ上の文字を拡大させながら読書でき、拡大鏡としての使用も可能である。
【発明を実施するための最良の形態】
【００１９】
本発明に係るしおり具は、書物の表紙と略平行に伸延する第１のしおり片と、この第１のしおり片の一端とヒンジ部を介して回動自在に連結した第２のしおり片と、を備え、前記第１のしおり片と第２のしおり片のうち、少なくとも一方のしおり片を書物のページ間に挟んで目印とするためのしおり具であって、前記第２のしおり片は、前記ヒンジ部から書物の厚み方向に伸延する基端部と、この基端部から屈曲し、前記第１のしおり片と協働して任意のページを挟持可能に伸延した把持部と、を有することを特長としたものである。
【００２０】
すなわち、しおりとして任意のページをマークしながら、見開いたページで書物やページが閉じないようにページを抑える、ページ抑えとしての機能も備えたしおり具である。
【００２１】
また、しおり具は、第１,第２のしおり片を回動自在に連結したことにより、挟持するページ厚が大きい場合であっても一片を回動させる事でページを容易に挟持することができ、挟持するページの厚薄を選ばず対応可能であるし、書物への着脱が容易である。さらに、前記ヒンジ部から書物の厚み方向に伸延する基端部を備えることとしたため、挟持するページ厚が大きい場合にも、しおり片が不自然に傾斜することなく安定してページを挟持することができる。
【００２２】
さらに、しおり具は、書物のページを挟持した時、書物の端部からしおり具の頭部が突出した状態となり、この突出した頭部を摘んで書物の開閉動作を行う事ができるため、書物のマークしたページを開く作業が容易であり、また、そのマークしたページをダイレクトに開くことができる。
【００２３】
また、前記第１のしおり片と第２のしおり片とを互いに当接する方向へ付勢する付勢手段を備えることを特徴とした。
【００２４】
すなわち、第１，第２のしおり片間に挟んだページを、表裏方向から押圧して確実に挟持することができ、どのような体勢で読書をしても確実にページを把持しながら読書することができるし、しおり具に書物から離脱させるような意図しない力が加えられたとしても、容易には脱落しない。また、しおり具がページ上を不用意に摺動することを防止する事ができる。
【００２５】
また、前記第１のしおり片と第２のしおり片のうち、少なくとも第２のしおり片には滑り止め部材を設けたたことを特徴とした。
【００２６】
すなわち、しおり片に、樹脂材料などにより形成した滑り止め部材を被覆することにより、しおり具と書物のページとの当接面における摩擦力を増幅させて、しおり具は、書物のページ上を不用意に摺動することがなく、確実強固にページを把持する事ができる。
【００２７】
また前記第１のしおり片と第２のしおり片との連結幅を調整する連結幅調整手段を備えることを特徴とした。
【００２８】
すなわち、挟持する書物やページの厚みに合わせてしおり具の厚み幅を調節することができるため、書物の厚薄に関わらずどのような書物に対しても対応して使用することができるし、挟持するページ厚に合わせてしおり具の厚み幅を調節することにより、第１，第２のしおり片とページとの当接面積を良好に確保できるため、より確実で安定してページを挟持することができるし、しおり具の厚み幅と、挟持するページの厚みとの差異が拡大して、ページを挟持する際にしおり片が不自然に傾斜することを防止している。
【００２９】
また、前記第２のしおり片の把持部は、前記基端部から前記第１のしおり片側へ傾斜状に伸延させた傾斜面部と、この傾斜面部に連続して前記第１のしおり片と面同士が互いに当接する先端部と、を有することを特徴とした。
【００３０】
すなわち、対向する２片及び挟持するページとの当接面積を可及的に拡大させ、書物のページを挟持した際、ページに係る押圧力を拡散させて、ページを確実に挟持しても紙面に跡形や傷をつけず、大事な書物などにも安心して使用できるようにしている。
【００３１】
また、前記第２のしおり片の把持部に凸レンズを設けたことを特徴とした。
すなわち、書物の見開いたページが閉じないようにページを抑えながら、見開いたページ上の文字を拡大させて読書することができるため、拡大鏡としての機能を果たし、お年寄りや低視力の人であっても文字が見やすく、眼鏡を使用せずとも目に負担を掛けずに読書することを可能としている。
【００３２】
以下、本発明における実施の形態について図面を参照しながら詳細に説明する。
【００３３】
図１は、本実施例におけるしおり具の斜視図、図２は本実施の形態におけるしおり具の側面視説明図である。
【００３４】
図１、図２に示すように、本実施形態におけるしおり具１０は、書物の表紙と略平行に伸延する第１のしおり片１と、この第１のしおり片１の一端とヒンジ部を介して回動自在に連結した第２のしおり片２と、を備えたしおり具１０である。
【００３５】
第１のしおり片１は、薄板の金属片を細長状に形成して、書物の表紙と略平行をなすように構成している。
【００３６】
第２のしおり片２は、肉薄の金属片を略Ｌ字状に屈曲させて形成しており、第１のしおり片１の一端部にヒンジ部を介して連結し書物の厚み方向に伸延する基端部２２と、同基端部２２に連続して形成され、第１のしおり片１と近接方向へ鋭角に屈曲して第１のしおり片１と対向する把持部２１を有する。
【００３７】
把持部２１は、第１のしおり片１側へ傾斜状に伸延した傾斜面部６を形成し、この傾斜面部６に連続する先端部７を、対向する第２のしおり片２の先端部８と略並行となるよう形成して、第１のしおり片１と第２のしおり片２の当接面を可及的に拡大させている。
【００３８】
第１のしおり片１と、第２のしおり片２における基端部２２の、連結縁には、それぞれヒンジの軸をなす軸心棒１３を挿入するための軸穴１１，１１，１２が突設してある。第１のしおり片の軸穴１１,１１間に第２のしおり片の軸穴１２を直列させ、これらの穴部に軸心棒１３を挿入貫通させることにより両しおり片１,２を回動自在に連結し、しおり具１０全体を蝶番状に構成している。また、第１、第２のしおり片１,２の先端縁をそれぞれ円弧状に形成することにより書物の紙面を傷つけない形状としている。
【００３９】
また、しおり片の大きさは、しおり具全体が横３０ｍｍ×縦１３０ｍｍ程度となるように形成すると、文庫本のような小型の本から雑誌等の大型の本まで、他端を不安定に浮き上がらせることなく安定して書物を挟持することができ、好ましいが、しおり具の使用目的・状況等に合わせて変更可能である。
【００４０】
以下、本実施例におけるしおり具１０の使用形態について、図面を参照しながら説明する。
【００４１】
図３〜図５は、本実施例におけるしおり具１０の使用形態における説明図である。
【００４２】
本発明に係るしおり具は、上述したようにページ抑えとしての機能を備えているので、読書中の見開いたページを表裏方向から挟持させることにより、ページを抑えながら読書することを可能としている。
【００４３】
すなわち、図２〜図４に示すように、しおり具１０の第２のしおり片２を第１のしおり片１と離隔方向であるｙ方向へ回動させ、この第１のしおり片１と第２のしおり片２の間に、書物Ｂの、読書しようとするページＰを見開いた状態とした一方のページｐ１を位置させる。その後手を離せば、第２のしおり片２は自重により第１のしおり片１と当接方向であるｘ方向へ回動して書物のページｐ１を挟持し、見開いたページＰで抑えながら書物Ｂを読む事ができる。このとき、第１のしおり片１は書物Ｂの表紙又は裏表紙に当接させて挟持させると、書物Ｂ全体を安定させてページを抑えることができる。
【００４４】
また、本実施例におけるしおり具１０は、金属片により形成しているため紙体との摩擦係数は小さく、ページを挟持させた状態であっても容易に紙面上を滑らすことが可能である。そのため、しおり具１０によって挟持している一方のページｐ１が読みたい場合は、しおり具１０を他方のページｐ２側へ滑らせて摺動させるという、簡単な動作を行えばよく、しおり具１０が読書の邪魔をする事が無い。
【００４５】
また、しおり具１０に抑えられた状態のページをしおり具から抜き出す事や、めくったページをしおり具１０内に入れ込むことが容易であり、ページを挟持させた状態でのページめくりを容易に行うことができる。
【００４６】
さらに、しおり具の、第１のしおり片と第２のしおり片の先端部７,８は、それぞれ円弧状に形成しているため、書物Ｂのページを、引っ掛けるなどして痛めることなく、確実に挟持することができる。
【００４７】
読書途中であるページをマークして読書を中断したい場合や、重要なページに目印をつけておきたい場合等は、図４に示すように、そのページＰでしおり具を挟持させた状態のまま書物を閉じればしおり具はしおりとしてそのページＰをマークした状態となる。
【００４８】
ページＰを挟持させたしおり具１０は、書物Ｂ上端部から突出した状態となり、ページをマークした状態であることが一目瞭然であるため、書物Ｂと他の書物を混合したとしても、ページをマークした書物Ｂが他の複数の書物に紛れて分からなくなる事が無い。
【００４９】
また、前記第２のしおり片２の把持部２１は、前記基端部２２から前記第１のしおり片１側へ傾斜状に伸延させた傾斜面部６と、この傾斜面部６に連続して前記第１のしおり片１と面同士が互いに当接する先端部７とを形成して、第１のしおり片１の先端部８と第２のしおり片２の先端部７との当接面積を拡大させている。すなわち、しおり片２とページとの当接面を十分に確保しているため、挟持部分にかかる力を拡散させ、書物を痛めることなく安定して確実にページを挟持する事ができるし、また、ページを挟持させたまま書物Ｂを閉じた際に、第２のしおり片２と挟持したページＰ間に生じる隙間を可及的に小さくして、書物Ｂが、しおり具１０を挟んだまま閉じた状態である時に、隙間により不安定に傾斜することを防止している。
【００５０】
第１のしおり片１は、前述したように書物の表紙又は裏表紙に当接させて挟持させると書物Ｂ全体を安定して挟持できるが、これに限定されず、図５に示すように書物のページ同士で挟持させてもよく、この場合二箇所のページｐ３,ｐ４を同時にマークすることができる。
【００５１】
マークした読みかけのページから読書を再開したい時や、マークしておいた重要なページを確認したい時など、予めしおり具１０で挟んでマークしておいたページを開きたい時には、書物の端部から突出したしおり具１０の頭部１５を摘まんで、挟持したページをしおり具１０ごと書物の開方向へ旋回させれば、しおり具１０を軸にして、マークしたページをダイレクトに開くことができる。しおり片１，２は金属片から形成して強度を持たせているため、挟持したページの重みに負けることなく確実にマークしたページを開くことができる。
【００５２】
以下、他の実施例におけるしおり具について図面を参照しながら説明する。
【００５３】
なお、図６〜図１４に示す、他の実施例におけるしおり具において、図１に示すしおり具１０の構成要件と同様の構成要件には同一の符号を付することにより、その説明を省略する。
【００５４】
図６は実施例２におけるしおり具の斜視図、図７は実施例２におけるしおり具の一部説明図である。
【００５５】
図６に示すしおり具１０ａは、しおり具１０と同様に形成した第１のしおり片１と、同第１のしおり片１端部に回動自在に蝶着し、薄板状の金属片を略Ｌ字状に屈曲して形成した第２のしおり片２ａとより構成し、第２のしおり片２ａの先端部７ａ周縁に、樹脂材料などにより略Ｕ字状に形成した滑り止め部材２０を被覆してなるしおり具１０ａである。
【００５６】
このしおり具１０ａは図７に示すように、例えば樹脂等の摩擦抵抗の大きい材料などにより、しおり具とは別途に略Ｕ字状の滑り止め部材２０を形成し、同滑り止め部材２０の内側面部に、Ｕ字カーブに沿って切欠溝１９を設け、同切欠溝１９に、しおり具１０ａの、第２のしおり片２ａにおける先端部７ａを嵌着して構成している。
【００５７】
図８は、図６のＡ−Ａ’線における断面説明図であり、図８に示すように、滑り止め部材２０は、第２のしおり片２ａの先端部７ａ周縁を丸く被覆して突起状となり、しおり具１０ａが書物のページを挟持する際、この滑り止め部材２０がページに当接して挟持するため、しおり具１０ａは、ページ上を不用意に摺動することなく確実にページを挟持することができる。
【００５８】
滑り止め部材２０は、第２のしおり片２ａとは着脱自在に形成しても、接着させて形成しても良く、しおり具１０ａの使用目的に合わせて使い分けることが可能である。
【００５９】
また、実施例２における他の実施形態として、図９に示すようなしおり具１０ｂとすることもできる。
【００６０】
図９に示すように、しおり具１０ｂは、しおり具１０と同様に形成した第１のしおり片１と、同第１のしおり片１端部に回動自在に蝶着し、薄板状の金属片を略Ｌ字状に屈曲して形成した第２のしおり片２ｂとより構成し、同第２のしおり片２ｂの屈曲部下部から先端部７ｂまでの全面に、樹脂材料等の滑り止め部材を被覆してなるしおり具１０ｂである。
【００６１】
図９におけるＡ１−Ａ１’線における断面説明図を図１０に示しており、図１０に示すように、しおり具１０ｂは、把持部２１ｂの略全体を滑り止め部材２５により被覆しているので、しおり具１０ｂが書物のページを挟持する際、この滑り止め部材２５の一面全体がページに当接し、書物の紙面上を摺動することなく、図６に示すしおり具１０ａよりもさらに確実にページを挟持することができる。
【００６２】
滑り止め部材２５は、第２のしおり片２ｂとは着脱自在に形成しても、接着させて形成しても良く、しおり具１０ｂの使用目的に合わせて使い分けることが可能である。
【００６３】
また、しおり具１０ｂがページを挟持したまま書物を閉じた状態とした時は、第２のしおり片２ｂにおける表裏両面の滑り止め部材２５が書物の紙面と当接した状態となるため、しおり具１０ｂは、書物から離脱させるような意図しない力が加えられたとしても、書物から容易には脱落しない。
【００６４】
なお、しおり具１０ａ、１０ｂにおいて、第２のしおり片２ａ,２ｂにのみそれぞれ滑り止め部材２０，２５を被覆することとしたが、これに限られず、第１のしおり片にも同様に滑り止め部材を被覆してもよい。
【００６５】
また、実施例２において、滑り止め部材２０，２５は樹脂材料により形成することとしたが、摩擦抵抗が大きく滑り止めの役目を果たす材料であれば、これに限られない。
【００６６】
次に、実施例３におけるしおり具について図面を参照して説明する。
【００６７】
図１１(ａ)は、実施例３におけるしおり具１０ｃを示す斜視図、図１１(ｂ)は、実施例３におけるしおり具１０ｃの右視側面図であり、図１１(ａ)、(ｂ)に示すように、しおり具１０ｃは、第１のしおり片１と、凸レンズ２８を備えた第２のしおり片２ｃと、より構成するしおり具である。
【００６８】
第２のしおり片２ｃは、第１のしおり片１の端部に蝶着され略Ｌ字状に屈曲して形成した基部２６の自由端に、樹脂材料などにより透過性を持たせて形成した凸レンズ２８を、同凸レンズ２８の上部に設けた切欠部２７において固着して構成しており、凸レンズ２８は、前記基部２６から前記第１のしおり片１側へ傾斜状に伸延させた傾斜面部６ｃと、この傾斜面部６ｃに連続して前記第１のしおり片１と面同士が互いに当接する先端部７ｃと、を形成して、第１のしおり片１の先端部８と第２のしおり片２ｃの先端部７ｃとの当接面積を可及的に拡大させて、書物のページを挟持しやすくしている。
【００６９】
図１２は、実施例３におけるしおり具の使用形態を示す説明図であり、図１２に示すように、書物の見開いたページを本しおり具１０ｃで挟持しながら読書する際、目で追う文字に沿ってしおり具１０ｃを図１２に示すＩ−Ｉ’方向に摺動させながら読書すると、凸レンズ２８が拡大鏡の役割を果たし、見開いたページの文字を拡大させながら読書することができる。
【００７０】
このように、実施例３におけるしおり具１０ｃは、書物の見開いたページが閉じないようにページを抑えながら、見開いたページ上の文字を拡大することができるため、拡大鏡としての機能を果たし、お年寄りや低視力の人であっても眼鏡を着用せずとも目に負担を掛けずに読書することを可能としており、すなわち、ページをマークするしおりとしての機能、見開いたページを抑えるページ抑えとしての機能に加え、拡大鏡としての機能も備えたしおり具である。
【００７１】
なお、上記した実施例１〜３におけるしおり具を示す図６、９、１１、１２において、符号１２ａ〜１２ｃは、第２のしおり片２ａ〜２ｃの連結縁における軸穴部である。
【００７２】
次に、実施例４におけるしおり具について図面を参照して説明する。
【００７３】
図１３は、実施例４におけるしおり具１０ｄを示す斜視説明図であり、図１３に示すように、しおり具１０ｄは、第１のしおり片１と、金属片を略Ｌ字状に屈曲して形成した第２のしおり片２ｄと、前記第１のしおり片に蝶着され、第１のしおり片１と第２のしおり片２ｄを連結する連結片２９と、より構成している。
【００７４】
連結片２９の連結縁には軸穴部１２ｄを突設し、同軸穴部１２ｄを第１のしおり片１の軸穴部１１,１１間に直列させ、これらの孔に軸心棒１３を挿入貫通させることにより両しおり片１,２ｄを回動自在に連結し、しおり具１０ｄ全体を蝶番状に構成している。
【００７５】
連結片２９上部には、第１−第２しおり片１,２ｄ方向に２つの案内孔３０，３０を並列して設けており、同案内孔３０，３０と、第２しおり片２ｄの基端部２２ｄに設けた、図示しない２つのビス孔と、をそれぞれビス３１，３１及び図示しないナットにより連結している。
【００７６】
したがって、第１、第２のしおり片１，２ｄをそれぞれ近接・離隔方向へ、案内孔３０，３０の幅だけ摺動させることができ、すなわち、本しおり具１０ｄは、書物の厚薄に合わせて厚み幅を調節することができ、さらに回動自在であるヒンジ部を設けているので、様々な厚みの書物に対応して容易かつ確実に頁を挟持することができる。
【００７７】
本しおり具１０ｄを使用する際は、読書したい書物の厚み、及びページマークしたいページの厚み等を考慮して、第１，第２のしおり片１，２ｄを摺動させてしおり具１０ｄを任意の厚み幅へと設定し、書物のページを挟持させる。ビス３１とナットの締まり具合を調節することで、第１，第２のしおり片１,２ｄを摺動させた任意の位置で固定することも可能である。
【００７８】
次に、実施例５におけるしおり具について図面を参照して説明する。
【００７９】
図１４は、実施例５におけるしおり具１０ｅを示す一部拡大説明図であり、図１４に示すように、しおり具１０ｅは、第１,第２のしおり片４１,４２の連結部に、両しおり片４１,４２を互いに当設する方向へ付勢する付勢手段として、バネ３７を備えたしおり具としたものである。
【００８０】
第１,第２のしおり片４１,４２の連結縁にはそれぞれ、ヒンジを形成するための軸である軸心棒１３を挿入するための軸穴部３５,３５,３６,３６を設けており、第１のしおり片４１の軸穴部３５,３５間に、第２のしおり片４２の軸穴部３６,３６を直列して、同軸穴部３６,３６間には付勢手段であるコイルバネ３７を直列挿入し、これら軸穴部３５,３６とコイルバネ３７の穴部に軸心棒１３を挿入貫通させることにより第１,第２のしおり片を回動自在に構成して、さらに両しおり片４１,４２を互いの当接方向へ付勢させる構成としている。
【００８１】
しおり具１０ｅは、書物のページを挟持する際、コイルバネ３７の作用により、第１,第２のしおり片４１,４２が互いの当接方向へ付勢されるため、ページを表裏方向から押圧して確実強固に挟持し、どのような体勢で読書しようとも確実にページを把持させながら読書することができるし、しおり具１０ｅに書物から離脱させるような意図しない力が加えられたとしても、容易には書物から脱落しない。また、しおり具が挟持したページ上を不用意に摺動する事を防止している。
【００８２】
なお、実施例５においては、付勢手段としてコイルバネ３７を設けることとしたがこれに限られず、他の形態のバネや他の形態の付勢手段を用いてもよい。
【００８３】
以上の実施例におけるしおり具１０〜１０ｅの構成は、それぞれ組合せて構成することも可能であり、上記したものに限られず、技術思想の範囲内において種々の変形が可能である。
【００８４】
また、以上の実施例において、第１，第２のしおり片は金属片により形成したが、これに限定されず、ある程度の強度を有する材料により形成すればよく、例えば木材を薄片状に形成して第１，第２のしおり片として構成してもよい。
【図面の簡単な説明】
【００８５】
【図１】本実施例におけるしおり具の斜視図。
【図２】本実施例におけるしおり具の側面視説明図。
【図３】本実施例におけるしおり具の使用形態における説明図。
【図４】本実施例におけるしおり具の使用形態における説明図。
【図５】本実施例におけるしおり具の使用形態における説明図。
【図６】実施例２におけるしおり具の斜視図。
【図７】実施例２におけるしおり具の一部説明図。
【図８】実施例２におけるしおり具の、図６に示すＡ−Ａ’線における断面説明図。
【図９】実施例２における他の実施形態のしおり具の斜視図。
【図１０】実施例２におけるしおり具の、図９に示すＡ１−Ａ１’線における断面説明図。
【図１１】実施例３におけるしおり具の説明図。
【図１２】実施例３におけるしおり具の使用形態を示す説明図。
【図１３】実施例４におけるしおり具の説明図。
【図１４】他の実施形態におけるしおり具の一部説明図。
【符号の説明】
【００８６】
１  第１のしおり片
２〜２ｄ  第２のしおり片
６  傾斜面部
７  先端部
８  先端部
１０〜１０ｄ  しおり具
１１  軸穴部
１２  軸穴部
１３  軸心棒
１５  頭部
１９  切欠溝
２０  滑り止め部材
２１  把持部
２２  基端部
２５  滑り止め部材
２６  基部
２７  切欠部
２８  凸レンズ
２９  連結片
３０  案内孔
３１  ビス
Ｂ  書物
【図１】
2007181928.tif 000003
【図２】
2007181928.tif 000004
【図３】
2007181928.tif 000005
【図４】
2007181928.tif 000006
【図５】
2007181928.tif 000007
【図６】
2007181928.tif 000008
【図７】
2007181928.tif 000009
【図８】
2007181928.tif 000010
【図９】
2007181928.tif 000011
【図１０】
2007181928.tif 000012
【図１１】
2007181928.tif 000013
【図１２】
2007181928.tif 000014
【図１３】
2007181928.tif 000015
【図１４】
2007181928.tif 000016